(57)【要約】【課題】リール本体の側方にハンドルアームが回転可能に設けられた釣り用リールにおける操作性等の向上を図る。【解決手段】リール本体３と、リール本体３の側方で中央部が回転可能に支持されたハンドルアーム４と、ハンドルアーム４の両端に設けられたハンドルノブ７と、ハンドルアーム４よりもリール本体３側に配設されたスタードラッグ８とを備えたベイト型の釣り用リールであって、ハンドルアーム４に段部４ａを形成して、ハンドルアーム４のうちハンドルノブ７が設けられた両端部をリール本体３側にオフセットさせるとともに、スタードラッグ８をハンドルアーム４の両端部より内側に配置している。【選択図】　　　図２
0003097320.tif 000002
【実用新案登録請求の範囲】
【請求項１】
リール本体と、
上記リール本体の側方に回転可能に設けられたハンドルアームとを備え、
上記ハンドルアームの端部を曲げてなることを特徴とする釣り用リール。
【請求項２】
上記ハンドルアームの端部を上記リール本体側にオフセットさせるように屈曲させたことを特徴とする請求項１に記載の釣り用リール。
【請求項３】
上記ハンドルアームの中央部が回転可能に支持されており、上記ハンドルアームの両端部を上記リール本体側にオフセットさせるよう屈曲させて、上記ハンドルアームが点対称となるようにしたことを特徴とする請求項２に記載の釣り用リール。
【請求項４】
上記ハンドルアームの一回転方向に向かって上記ハンドルアームの端部を湾曲させたことを特徴とする請求項１に記載の釣り用リール。
【請求項５】
上記ハンドルアームの中央部が回転可能に支持されており、上記ハンドルアームの両端部を上記回転方向に向かってそれぞれ湾曲させて、上記ハンドルアームが点対称となるようにしたことを特徴とする請求項４に記載の釣り用リール。
【請求項６】
上記ハンドルアームの端部を湾曲させる角度を、上記回転位置から上記ハンドルアームの延伸方向に対して９０度未満とすることを特徴とする請求項４又は５に記載の釣り用リール。
【請求項７】
リール本体と、
上記リール本体の側方で中央部が回転可能に支持されたハンドルアームと、
上記ハンドルアームの両端に設けられたハンドルノブと、
上記ハンドルアームよりも上記リール本体側に配設されたスタードラッグとを備えたベイト型の釣り用リールであって、
上記ハンドルアームに段部を形成して、上記ハンドルアームのうち上記ハンドルノブが設けられた両端部を上記リール本体側にオフセットさせるとともに、上記スタードラッグを上記ハンドルアームの両端部より内側に配置したことを特徴とする釣り用リール。
【考案の詳細な説明】
【０００１】
【考案の属する技術分野】
本考案は、リール本体の側方にハンドルアームが回転可能に設けられた釣り用リールに関する。
【０００２】
【従来の技術】
図６に示すように、釣り用リール１０１は、リール本体１０２の側方にハンドルアーム１０３が回転可能に設けられている。従来の釣り用リール１０１では、図６、７に示すように、ハンドルアーム１０３がまっすぐのものがほとんどである。
【０００３】
【考案が解決しようとする課題】
しかしながら、ハンドルアーム１０３がまっすぐな場合、例えば図６に示すようにハンドル操作する際に、右手の位置がロッド１０４の中心軸から遠くなってしまい（距離Ｌ）、ハンドルアームが回転するときのロッドに伝わるブレが大きくなることがある。
【０００４】
本考案は上記のような点に鑑みてなされたものであり、ハンドルアームの形状に変化を持たせて、上記のような課題を解決し、操作性等の向上を図ることを目的とする。
【０００５】
【課題を解決するための手段】
本考案の釣り用リールは、リール本体と、上記リール本体の側方に回転可能に設けられたハンドルアームとを備え、上記ハンドルアームの端部を曲げてなる点に特徴を有する。
【０００６】
また、本考案の釣り用リールの他の特徴とするところは、上記ハンドルアームの端部を上記リール本体側にオフセットさせるように屈曲させた点にある。また、上記ハンドルアームの中央部が回転可能に支持されており、上記ハンドルアームの両端部を上記リール本体側にオフセットさせるよう屈曲させて、上記ハンドルアームが点対称となるようにした点にある。
【０００７】
また、本考案の釣り用リールの他の特徴とするところは、上記ハンドルアームの一回転方向に向かって上記ハンドルアームの端部を湾曲させた点にある。また、上記ハンドルアームの中央部が回転可能に支持されており、上記ハンドルアームの両端部を上記回転方向に向かってそれぞれ湾曲させて、上記ハンドルアームが点対称となるようにした点にある。また、上記ハンドルアームの端部を湾曲させる角度を、上記回転位置から上記ハンドルアームの延伸方向に対して９０度未満とする点にある。
【０００８】
本考案の他の釣り用リールは、リール本体と、上記リール本体の側方で中央部が回転可能に支持されたハンドルアームと、上記ハンドルアームの両端に設けられたハンドルノブと、上記ハンドルアームよりも上記リール本体側に配設されたスタードラッグとを備えたベイト型の釣り用リールであって、上記ハンドルアームに段部を形成して、上記ハンドルアームのうち上記ハンドルノブが設けられた両端部を上記リール本体側にオフセットさせるとともに、上記スタードラッグを上記ハンドルアームの両端部より内側に配置した点にある。
【０００９】
【考案の実施の形態】
以下、図面を参照して、本考案の釣り用リールの好適な実施形態について説明する。
【００１０】
（第１の実施形態）
図１、２は、本実施形態の釣り用リール１をロッド２のグリップ部付近に装着した状態を示す図である。また、図３は、本実施形態の釣り用リール１の一部斜視図である。本実施形態の釣り用リール１はベイト型と称される種類のものであり、リール本体３と、リール本体３の側方に回転可能に設けられたハンドルアーム４とを備える。
【００１１】
リール本体３の両側部間にはスプール５が回転可能に収容され、図示しないギヤ群等を介してハンドルアーム４に連動する。ハンドルアーム４は、釣り糸（ライン）の巻き取り方向には回転可能で、スプール５を回転させて糸を巻き取ることができるが、釣り糸の送り出し方向には回転規制される。リール本体３の前方には、スプール５に釣り糸を均一に巻き取るためにハンドルアーム４の回転に連動して釣り糸を案内するレベルワインダ６が設けられる。
【００１２】
ハンドルアーム４は中央部で回転可能に支持されており、その両端にハンドルノブ７が回転可能に設けられる。ハンドルアーム４には段部４ａが形成され、ハンドルアーム４の両端部をリール本体３側にオフセットさせるよう屈曲させている。
【００１３】
リール本体３のハンドルアーム４側にはスタードラッグ８が配設される。スタードラッグ８はハンドルアーム４の両端部（ハンドルノブ７が設けられる部分）より内側に配置され、両者が干渉しないようにされている。また、リール本体３のハンドルアーム４側にはスプール５の回り方を調節するメカニカルブレーキの調節つまみ９が設けられる。
【００１４】
キャスティング時には、スプール５を自由回転可能な状態にするとともに、右手でロッド２のグリップ部を握り、ラインが出ないように親指でスプール５を押さえながらロッド２を振り上げて、振り下げる。そして、ロッド２の先端が頭上を通過するときに、親指をスプール５から離すと、図示しないルアーの重さによってラインが出ていく。ラインが出ていくのに従い、親指でスプール５を押さえ、徐々に力を加えてラインの出を調節する（サミング）。ルアーが着水する寸前にはサミングでラインが出るのを完全に止めてしまう。
【００１５】
このようにしてルアーが着水した後は、図２に示すように、ロッド２を左手に持ち替えるとともに、右手でハンドルノブ７を握ってハンドル操作を行う。
【００１６】
このようにした第１の実施形態の釣り用リール１では、図１〜３に示すように、ハンドルアーム４の両端部をリール本体３側にオフセットさせるよう屈曲させたので、ハンドル操作する際に、オフセットさせた分だけ右手の位置をロッド２の中心軸に接近させることができる（距離Ｌ´（＜図６に示す距離Ｌ））。したがって、ハンドルアーム４を回転させるときに脇をしめてハンドル操作することができ、軽快な動作を行うことができ、また、ロッド２に伝わるブレを抑えることができ、操作性を向上させることができる。
【００１７】
また、ハンドルアーム４の両端部をリール本体３側にオフセットさせるよう屈曲させたので、全体の重心をロッド２の中心軸に接近させることができ、重心が分散するのを避けて全体のバランスをよくすることができる。
【００１８】
また、ハンドルアーム４の形状が点対称となるようにしたので、バランスをよくすることができ、滑らかな回転が可能となる。
【００１９】
（第２の実施形態）
図４、５に示す第２の実施形態は、ハンドルアーム４の形状を変更した例である。以下では、上記第１の実施形態との相違点を中心に説明し、既に説明した構成要素には同一の符号を付すとともに、その詳細な説明は省略する。
【００２０】
図４、５に示すように、ハンドルアーム４は中央部で回転可能に支持されており、その両端にハンドルノブ７が回転可能に設けられる点は上記第１の実施形態と同様であるが、ハンドルアーム４の両端部を図中矢印に示す回転方向Ｒ（釣り糸の巻き取り方向）に向かってそれぞれ湾曲させている。この場合に、ハンドルアーム４の端部を湾曲させる角度を、ハンドルアーム４の回転位置に対する延伸方向（図中点線Ｘ）に対して９０度未満とする
【００２１】
このようにした第２の実施形態の釣り用リール１では、図４、５に示すように、ハンドルアーム４の両端部を釣り糸の巻き取り方向に向かってそれぞれ湾曲させたので、回転させやすく、操作性を向上させることができる。すなわち、ハンドルアーム４の回転中心Ｏから延伸方向への寸法ｘが図７に示す従来例と同じである場合でも、回転中心Ｏから力の作用点（ハンドルノブ７部分）までの長さｘ´を稼ぐことができるので、同じ負荷に対して軽く回転させることができ、操作性を向上させることができる。
【００２２】
また、ハンドルアーム４の回転中心Ｏから延伸方向への寸法ｘが図７に示す従来例と同じである場合でも、ハンドルアーム４の全体長さを稼ぐことができるので、作用する力を各部に分散させることができ、結果として全体の剛性を高めることができ、肉厚を薄くして軽量化させ、操作性を向上させることができる。
【００２３】
また、ハンドルアーム４の形状が点対称となるようにしたので、バランスをよくすることができ、滑らかな回転が可能となる。
【００２４】
なお、上記実施形態において示した各部の形状及び構造は、何れも本考案を実施するにあたっての具体化のほんの一例を示したものに過ぎず、これらによって本考案の技術的範囲が限定的に解釈されてはならないものである。すなわち、本考案はその精神、又はその主要な特徴から逸脱することなく、様々な形で実施することができる。
【００２５】
【考案の効果】
以上述べたように本考案によれば、ハンドルアームの形状に変化を持たせ、具体的にはハンドルアームの端部をリール本体側にオフセットさせるように屈曲させたり、ハンドルアームの端部を回転方向に向かって湾曲させたりしたので、操作性等の向上を図ることができる。
【図面の簡単な説明】
【図１】第１の実施形態の釣り用リールをロッドに装着した状態を示す図である。
【図２】第１の実施形態の釣り用リールの使用状態を表す図である。
【図３】第１の実施形態の釣り用リールの一部斜視図である。
【図４】第２の実施形態の釣り用リールのハンドルアーム正面図であり、（ａ）がハンドルノブを設けた状態を示す図、（ｂ）がハンドルノブを設けていない状態を示す図である。
【図５】第２の実施形態の釣り用リールの一部斜視図である。
【図６】従来の釣り用リールの使用状態を表す図である。
【図７】従来の釣り用リールのハンドルアーム正面図である。
【符号の説明】
１　　釣り用リール
２　　ロッド
３　　リール本体
４　　ハンドルアーム
４ａ　段部
５　　スプール
６　　レベルワインダ
７　　ハンドルノブ
８　　スタードラッグ
９　　調節つまみ
【図１】
0003097320.tif 000003
【図２】
0003097320.tif 000004
【図３】
0003097320.tif 000005
【図４】
0003097320.tif 000006
【図５】
0003097320.tif 000007
【図６】
0003097320.tif 000008
【図７】
0003097320.tif 000009